(57)【要約】高音質のオーディオ・クリップ（１１０）を用いるビデオ・インデキシング方法により、ユーザは、ビデオ・インデックスとして高音質のオーディオ・クリップ（１１０）を用いて、オーディオ／ビデオ・シーケンス（１２０）を選択的に見ることができるように、オーディオ／ビデオ・シーケンス（１２０）の録画中に、高音質のオーディオ・クリップ（１１０）を収集することができる。ビデオ・インデックスとして高音質のオーディオ・クリップ（１１０）を用いることで、ユーザは、もっとも忘れられない複数の曲を利用して、容易にオーディオ／ビデオ・シーケンス（１２０）にインデックスを付けることができる。さらに、高音質のオーディオ・クリップ（１１０）に入っているもっとも忘れられない複数の曲を、高音質のオーディオで、例えば、ステレオ・サウンド、高ダイナミックレンジ、ノイズ・サプレッション（抑制）を用いて、あるいは、心理音響的な圧縮なしに、楽しむ（視聴する）ことができる。
2005525608.tif 000002
【特許請求の範囲】
【請求項１】
高音質のオーディオ・クリップを用いたビデオ・インデキシング方法であって、
オーディオ／ビデオ収集装置（１００）を用いて、オーディオ／ビデオ・シーケンス（１２０）の録画中に高音質のオーディオ・クリップ（１１０）を収集するステップ（４１０）と、
共同オーディオ／ビデオ処理パイプラインを用いて、前記オーディオ／ビデオ・シーケンス（１２０）と、前記高音質のオーディオ・クリップ（１１０）を処理して、送るステップ（４３０）と、
ビデオ・インデックスとして前記高音質のオーディオ・クリップ（１１０）を用いて、ユーザが、前記オーディオ／ビデオ・シーケンス（１２０）を選択的に見ることができるように、前記高音質のオーディオ・クリップ（１１０）を用いて、前記オーディオ／ビデオ・シーケンス（１２０）にインデックスを付けるステップ（４６０）と、
を含む方法。
【請求項２】
前記高音質のオーディオ・クリップ（１１０）を、高音質のサウンドで再生するステップ（４５０）をさらに含む、請求項１に記載の方法。
【請求項３】
前記収集するステップが、前記オーディオ／ビデオ収集装置（１００）上のボタン（１４８）の選択を受け取るステップを含む、請求項１に記載の方法。
【請求項４】
前記オーディオ／ビデオ・シーケンス（１２０）、前記高音質のオーディオ・クリップ（１１０）、およびインデキシング情報、を記憶装置（１５０）に記憶するステップ（４４０）をさらに含む、請求項１に記載の方法。
【請求項５】
前記記憶するステップが、前記オーディオ／ビデオ・シーケンス（１２０）、前記高音質のオーディオ・クリップ（１１０）、および前記インデキシング情報を、前記オーディオ／ビデオ収集装置（１００）のローカル記憶装置（１５０）に記憶するステップ（４４０）を含む、請求項４に記載の方法。
【請求項６】
前記記憶するステップが、前記オーディオ／ビデオ・シーケンス（１２０）、前記高音質のオーディオ・クリップ（１１０）、および前記インデキシング情報を、ネットワーク（３１８）に接続されたコンピュータに記憶するステップ（４４０）を含む、請求項４に記載の方法。
【請求項７】
前記オーディオ／ビデオ・シーケンス（１２０）、前記高音質のオーディオ・クリップ１１０、および前記インデキシング情報を、前記ネットワーク（３１８）を通じて、他のユーザに送り、それにより、該他のユーザが、前記ビデオ・インデックスとして前記高音質のオーディオ・クリップ（１１０）を用いて、前記オーディオ／ビデオ・シーケンス（１２０）を選択的に見ることができるようにするステップ（４９０）をさらに含む、請求項６に記載の方法。
【請求項８】
前記オーディオ／ビデオ・シーケンス（１２０）、前記高音質のオーディオ・クリップ（１１０）、および前記インデキシング情報を、前記ネットワーク（３１８）を通じて、他のユーザに送り、それにより、該他のユーザが、前記高音質のオーディオ・クリップ（１１０）を、高音質のステレオ・サウンドで再生できるようにするステップ（４９０）をさらに含む、請求項６に記載の方法。
【請求項９】
コンピュータ（３００）を利用して、前記ビデオ・インデックスとして前記高音質のオーディオ・クリップ（１１０）を用いて、前記オーディオ／ビデオ・シーケンス（１２０）を選択的に見るステップ（４７０）をさらに含む、請求項１に記載の方法。
【請求項１０】
前記コンピュータ（３００）から、前記高音質のオーディオ・クリップ（１１０）の１つに関連するアイコンの選択を受け取って、前記高音質のオーディオ・クリップ（１１０）に関連する時点から、前記オーディオ／ビデオ・シーケンス（１２０）を表示し始めるステップ（４８０）をさらに含む、請求項９に記載の方法。
【発明の詳細な説明】
【技術分野】
【０００１】
この技術分野は、ビデオ・イメージング・システムに関し、特に、ビデオ・インデキシング・システムに関する。
【背景技術】
【０００２】
ユーザは、ホームビデオ、テレビ番組、映画、コンサート、またはスポーツイベントをディスクまたはＤＶＤに録画して、後で、あるいは繰り返して見るために、ビデオカメラを利用することがますます増えている。ビデオカメラは、通常、ビデオとオーディオを両方とも録画、録音して、ビデオ・シーケンスを生成し、そのビデオ・シーケンスをハードディスクまたはＣＤ−ＲＯＭのような補助記憶装置に記憶することができる。このようなビデオ・シーケンスは、通常、様々なコンテンツ（内容）を有するか、あるいは、長大である。ユーザは、通常、ビデオ・シーケンス上にある内容、あるいは、オーディオ／ビデオ・シーケンス上において、特定のシーン、映画、イベントを録画している場所を書き留めることができないから、ユーザは、すわって、ビデオ・シーケンス全体を見て、録画されたものを思い出すか、あるいは、特定のシーンを検索しなければならないことがある。ビデオ・インデキシングにより、ユーザは、ビデオ・シーケンスの異なるセクションに容易にアクセスすることができ、その結果、ユーザは、ビデオ・シーケンス全体を通して早送りする必要がない。
【０００３】
現在のビデオ・インデキシング装置は、ビデオ中の視覚キューから、構造と意味を自動的にまたは半自動的に抽出するビデオ・コンテンツ分析を利用している。例えば、テレビ（ＴＶ）番組またはホームビデオからビデオ・クリップを得た後、コンピュータは、ビデオ・シーケンス中の特定のセクションにユーザがジャンプできるように、特定のインデックスを生成することになる。
【０００４】
しかしながら、自動ビデオ・インデキシングは、後で、ユーザがビデオ・インデックスとして利用することができるいくつかのキー・フレームを生成するために、広範な処理を必要とする。この広範な処理は、ショットの変り目、シーンの変り目、および、最終的には、キー・フレームとして機能することのできるフレームを自動的に探すものである。さらに、自動ビデオ・インデキシングは、ユーザが、録画内の特定のビデオ・イベントを見つけ出すのに役立つ場合もあるし、役立たない場合もある。
【発明の開示】
【０００５】
高音質のオーディオ・クリップを用いるビデオ・インデキシング方法は、オーディオ／ビデオ収集装置を用いて、オーディオ／ビデオ・シーケンスの録画中に高音質のオーディオ・クリップを収集することと、共同（joint）オーディオ／ビデオ処理パイプラインを用いて、オーディオ／ビデオ・シーケンスと、高音質のオーディオ・クリップを処理して、送ることと、および、ビデオ・インデックスとして高音質のオーディオ・クリップを用いて、ユーザが、オーディオ／ビデオ・シーケンスを選択的に見ることができるように、高音質のオーディオ・クリップを用いて、オーディオ／ビデオ・シーケンスにインデックスを付けることと、を含む。コンピュータ読取り可能媒体は、この方法を行うための、コンピュータを制御する命令を含むことができる。
【０００６】
ビデオ・インデックスとして高音質のオーディオ・クリップを用いることにより、ユーザは、例えば、高音質のサウンドでユーザが録音しているもっとも忘れられない複数の曲を用いて、オーディオ／ビデオ・シーケンスに容易にインデックスを付けることができる。さらに、高音質のオーディオ・クリップに入っている上記複数の曲に対応するもっとも忘れられないセグメントは、高音質のオーディオで、例えば、ステレオ・サウンド、高ダイナミックレンジ、ノイズ・サプレッション（抑制）を用いて、あるいは、心理音響的な圧縮なしに、楽しむことができる。
高音質のオーディオ・クリップを用いるビデオ・インデキシングの方法の好ましい実施形態を、同じ参照番号が同じ要素を表わす下記の図を参照して、詳しく述べる。
【発明を実施するための最良の形態】
【０００７】
ビデオカメラなどのオーディオ／ビデオ収集装置は、共同オーディオ／ビデオ処理パイプラインを用いて、オーディオ／ビデオ・シーケンスの録画（この録画において、オーディオは、普通、低音質である）と同時に、高音質のオーディオ・クリップを収集することができる。
【０００８】
高音質のオーディオ・クリップは、単独で、あるいは、関連オーディオ／ビデオ・シーケンスとともに、あるいは、このオーディオ／ビデオ・シーケンスの録画中に収集される他の任意のマルチメディア・コンテンツとともに、再生され得る。別法として、高音質のオーディオ・クリップを用いて、オーディオ／ビデオ・シーケンスにインデックスを付け、その後、このオーディオ／ビデオ・シーケンスを、高音質のオーディオあるいは低音質のオーディオを用いて見ることができる。ユーザは、高ダイナミックレンジの圧縮されてないステレオ・サウンドまたはサラウンド・サウンドの場合のように、高音質でオーディオ・ピースを録音する場合、ユーザは、通常、この特定のオーディオ・ピースに特に関心を持っている。高音質のオーディオ・ピースを関連オーディオ／ビデオ・シーケンスにリンクすれば、このオーディオ／ビデオ・シーケンスに効果的にインデックスを付けることができ、かつ／または、高音質のオーディオを用いて、このオーディオ／ビデオ・シーケンスを見ることができる。
【０００９】
インデキシングは、例えば、関連する拡張マークアップ言語（ＸＭＬ）ファイルを用いて行うことができる。このＸＭＬファイルは、高音質のオーディオ・クリップおよびオーディオ／ビデオ・シーケンスに関するファイルを、このオーディオ／ビデオ・シーケンス・ファイル中の高音質のオーディオ・クリップの始まりに対応する特定のタイムスタンプまたはフレーム番号にリンクする。
【００１０】
以下のものは、ビデオ・インデキシングを行う模範的なＸＭＬファイルである。
＜？ｘｍｌ  ｖｅｒｓｉｏｎ＝″１．０″ｅｎｃｏｄｉｎｇ＝″ｉｓｏ−８８５９−１
″？＞
＜！ＤＯＣＴＹＰＥ  ＶＩＤＥＯ−ＩＮＤＥＸＩＮＧ″ｖｉｄｅｏ＿ｉｎｄｅｘｉｎｇ．
ｄｔｄ″＞
＜ａｕｄｉｏＶｉｄｅｏＦｉｌｅ＞
．．．
＜／ａｕｄｉｏＶｉｄｅｏＦｉｌｅ＞
＜ｈｉｇｈＱｕａｌｉｔｙＡｕｄｉｏＣｌｉｐｓ＞
＜ｃｌｉｐ＞
＜ｃｌｉｐＮａｍｅ＞．．．＜／ｃｌｉｐＮａｍｅ＞
＜ｆｒａｍｅＩｎｄｅｘ＞．．．＜／ｆｒａｍｅＩｎｄｅｘ＞
＜／ｃｌｉｐ＞
＜ｃｌｉｐ＞
＜ｃｌｉｐＮａｍｅ＞．．．＜／ｃｌｉｐＮａｍｅ＞
＜ｆｒａｍｅＩｎｄｅｘ＞．．．＜／ｆｒａｍｅＩｎｄｅｘ＞
＜／ｃｌｉｐ＞
．
．
．
＜ｃｌｉｐ＞
＜ｃｌｉｐＮａｍｅ＞．．．＜／ｃｌｉｐＮａｍｅ＞
＜ｆｒａｍｅＩｎｄｅｘ＞．．．＜／ｆｒａｍｅＩｎｄｅｘ＞
＜／ｃｌｉｐ＞
＜／ｈｉｇｈＱｕａｌｉｔｙＡｕｄｉｏＣｌｉｐｓ＞
【００１１】
したがって、単一のＸＭＬファイルは、オーディオ／ビデオ・シーケンスおよび高音質のオーディオ・クリップに関するあらゆる情報を、それぞれの高音質のオーディオ・クリップがリンクされるフレーム位置（またはタイムスタンプ）（すなわち、インデキシング情報）とともに記憶する。
【００１２】
別法として、このインデキシング情報は、この高音質のオーディオ・クリップのファイルのヘッダ中に埋め込まれてもよく、それにより、外部インデキシング・ファイルの必要がなくなる。この高音質のオーディオ・クリップは、通常、圧縮をまったく行わないときに、１サンプル当り１６ビット（モノラル）〜３２ビット（ステレオ）で符号化され、これは、正規または低音質のオーディオ・サウンドよりもずっと大きい記憶空間を占める。高音質のオーディオ・クリップを選択および録音して、忘れられない複数の曲を取り込むことで、ユーザは、関連オーディオ／ビデオ・シーケンスの始まりに、直接にジャンプすることができる。なぜなら、このシステムが、ＸＭＬファイルからのインデキシング情報を読み取っているからである。
【００１３】
低音質のオーディオと高音質のオーディオ用の共同オーディオ／ビデオ処理パイプラインを利用して、このオーディオ／ビデオ・シーケンスと、高音質のオーディオ・クリップの同時収集を実施することができる。共同オーディオ／ビデオ処理パイプライン技術は、例えば、モーションＭＰＥＧ−１オーディオ規格（ＩＳＯ／ＩＥＣ  １１１７２−３）に述べられている。この規格は、参照により本明細書中に組み込まれる。ＭＰＥＧ−１（ＩＳＯ／ＩＥＣ  １１１７２−３）は、３２ｋＨｚ、４４．１ｋＨｚ、４８ｋＨｚのサンプリング・レートにて、ディジタル化した音波の１チャネル（「モノラル」）および２チャネル（「ステレオ」または「二重モノラル」）の符号化を行う。これらの定義済みビット・レートは、レイヤーIでは３２〜４４８ｋビット／秒、レイヤーIIでは３２〜３８４ｋビット／秒、および、レイヤーIIIでは３２〜３２０ｋビット／秒にわたる。これら３つのレイヤーのどれも、サウンドを、異なる圧縮レベルで符号化することができる。例えば、ＭＰＥＧ−１のレイヤー３は、ＭＰ３としても知られているものであって、３２ｋｂｐｓから３２０ｋｂｐｓまで録音でき、これは、どのＭＰ３レコーダも、高音質（３２０ｋｂｐｓ）または超低音質（３２ｋｂｐｓ）でサウンドを録音することができる。同様に、ＭＰＥＧ−１ビデオを録画できるビデオカメラであればどれでも、ビデオ・クリップごとに、オーディオの音質を変えることができる。ただし、ビデオカメラのファームウェアが、そのような変更をサポートしていることを条件とする。
【００１４】
図１は、オーディオ／ビデオ・シーケンス１２０と、高音質のオーディオ・クリップ１１０を、並行して（すなわち、同時に）処理して、送ることのできるビデオカメラなどの模範的なオーディオ／ビデオ収集装置１００を示している。カメラ１００は、模範的な共同オーディオ／ビデオ処理パイプラインを使用している。カメラ１００は、イメージ／オーディオ・センサ１４０、高音質のオーディオ・クリップ１１０用の処理パイプライン、オーディオ／ビデオ・シーケンス１２０用の処理パイプライン、ローカル記憶装置１５０を含む。センサ１４０は、特定のオーディオ・クリップを、高音質のオーディオで、例えばステレオ・サウンドまたはサラウンド・サウンドで受け取る１つまたは複数のマイクロフォン１４５を含むことができる。これらの処理パイプラインは、カメラのハードウェア／ファームウェア、特定用途向け集積回路（ＡＳＩＣ）、マイクロプロセッサ、および／または、デジタル信号プロセッサ上にある。ローカル記憶装置１５０は、パナソニックからのＳＤメモリーカードと同様なソリッドステート（半導体）メモリ、あるいは、ＩＢＭからのマイクロドライブのハード・ドライブと同様なマイクロドライブである。例えば、オーディオ録音ボタン１４８を用いて、カメラ１００のセンサ１４０は、オーディオ／ビデオ・シーケンス１２０の収集と同時に、高音質のオーディオ・クリップ１１０を録音する。言い替えれば、オーディオ／ビデオ・シーケンス１２０の録画にともなう低音質のオーディオ・トラックと、高音質のオーディオ・トラックという２つの異なるオーディオ・トラックが、同時に、カメラ１００により収集される。
【００１５】
オーディオ／ビデオ・シーケンス１２０と高音質のオーディオ・クリップ１１０が収集された後で、オーディオ／ビデオ・シーケンス１２０と高音質のオーディオ・クリップ１１０は、図１に示されるように、共同オーディオ／ビデオ処理パイプラインを用いて、同時に処理され得る。その後、オーディオ／ビデオ・シーケンス１２０と高音質のオーディオ・クリップ１１０を、カメラ１００のローカル記憶装置１５０に送って、記憶する。別法として、オーディオ／ビデオ・シーケンス１２０と高音質のオーディオ・クリップ１１０は、ネットワークに接続されたハードディスク、ＣＤ−ＲＯＭ、またはサーバーのようなサーバー／コンピュータのリモート記憶装置に記憶される。高音質のオーディオ・クリップ１１０には、例えば、オーディオ／ビデオ・シーケンス１２０中のクリップ＃１、クリップ＃２、またはクリップ＃３といったラベルが付けられる。一次元であるオーディオ録音は、通常、三次元（二次元＋時間）であるイメージまたはビデオの録画ほど記憶装置を占有しない。よって、それぞれの高音質のオーディオ・クリップ１１０は、ユーザが望む限り、存続する。
【００１６】
図２は、通常、ステレオ・サウンドで録音される高音質のオーディオ・クリップ１１０を用いるビデオ・インデキシングの模範的な方法を示している。図１に示されるように、オーディオ／ビデオ・シーケンス１２０の録画中に、高音質のオーディオ・クリップ１１０（ａ）および１１０（ｂ）は、例えば、ビデオカメラなどのオーディオ／ビデオ収集装置１４０のオーディオ録音ボタン１４８を押すことで、ユーザによって収集され得る。高音質のオーディオ・クリップ１１０は、オーディオ／ビデオ・シーケンス１２０の中身をさすインデックスと見なされて、上述のように、関連ＸＭＬファイルに録音される。その後、ユーザは、ビデオ・インデックスとして高音質のオーディオ・クリップ１１０を用いて、オーディオ／ビデオ・シーケンス１２０を選択的に見る。高音質のオーディオ・クリップ１１０は、通常、イベントの忘れられない複数の曲を取り込む。それゆえ、もっとも忘れられない複数の曲を、オーディオ／ビデオ・シーケンス１２０中の複数の時点にリンクすれば、ユーザは、複数の高音質のオーディオ・クリップ１１０の周辺で、忘れられない経験をよみがえらせることができる。
【００１７】
ビデオ・インデキシングは、例えば、Ａｒｍａｎ氏らによる「オーディオ／ビデオ・シーケンスのコンテンツ・ベースのブラウジング（Ｃｏｎｔｅｎｔ−Ｂａｓｅｄ  Ｂｒｏｗｓｉｎｇ  ｏｆ  Ａｕｄｉｏ／ｖｉｄｅｏ  ｓｅｑｕｅｎｃｅｓ）」、ＡＣＭ  ｍｕｌｔｉｍｅｄｉａ、ｐｐ．９７−１０３、１９９４年、および、Ｓｍｏｌｉａｒ氏らによる「コンテンツ・ベースのビデオ・インデキシングおよび検索（Ｃｏｎｔｅｎｔ  Ｂａｓｅｄ  Ｖｉｄｅｏ  Ｉｎｄｅｘｉｎｇ  ａｎｄ  Ｒｅｔｒｉｅｖａｌ）」、ＩＥＥＥ  ｍｕｌｔｉｍｅｄｉａ、ｐｐ．６２−７２、１９９４年、に述べられている。これらの文献は、参照により、本明細書に組み込まれる。Ａｒｍａｎ氏らは、オーディオ／ビデオ・シーケンスのコンテンツを表わすために、新規な手法を開示している。この手法は、代表的なフレームを使ってオーディオ／ビデオ・シーケンスの各ショットを表わすために抽象化を形成するコンテンツ・ベースのブラウジング・システムを利用しており、この手法により、ユーザは、このフレームを容易にナビゲートでき、すなわち、素早くオーディオ／ビデオ・シーケンスを見て、このシーケンス中の特定の時点を見つけることができる。Ｓｍｏｌｉａｒ氏らは、コンテンツ・ベースのビデオ・インデキシングおよび検索の方法を開示している。この方法は、このようなビデオ・ストリームを構文解析してジェネリック・クリップを形成すること、ビデオ・クリップをデータベースに入れるときに、そのビデオ・クリップにインデックスを付けること、および、テキストおよび／または視覚的な例示に基づくクエリー（問合せ）を通じて、データベースを検索し、ブラウズすることを含む。
【００１８】
例えば、両親は、ピアノ・コンクールの間、正規または低音質のオーディオを用いてオーディオ／ビデオ・シーケンス１２０を録画しているときに、カメラ１００のオーディオ録音ボタン１４８を押して、自分の子供が演奏する一曲１１０（ａ）を、高音質のオーディオで録音することができる。その後、両親は、なおもピアノ・コンクールを録画しているときに、もう一度、オーディオ録音ボタン１４８を押して、例えば、最上位の演奏者などが演奏する別の曲１１０（ｂ）を取り込む。録音される高音質のオーディオ・クリップ１１０は、通常、このイベントのもっとも忘れられない瞬間を表わすが、もう１つの方法としては、ユーザが選択する任意のオーディオ・クリップを表わすことができる。両親は、その後、ビデオ・インデックスとして高音質のオーディオ・クリップ１１０を用いて、選択的に、このファミリービデオを見る。すなわち、オーディオ／ビデオ・シーケンス１２０中のもっとも忘れられない瞬間に、直接に進む。さらに、両親は、正規のオーディオ／ビデオ・シーケンス１２０の録画では不可能な高音質のステレオ・サウンドで、上記の音楽演奏を楽しむこともできる。
【００１９】
図３は、高音質のオーディオ・クリップ１１０を用いるビデオ・インデキシングの模範的な方法に関連して用いることのできるコンピュータ３００の模範的なハードウェア構成要素を示している。コンピュータ３００は、録画されたビデオ１２０と録音された高音質のオーディオ・クリップ１１０とを、例えば電子メールで友達および家族に送るために、インターネットあるいは他のタイプのコンピュータ・ネットワークまたは電話網のようなネットワーク３１８に接続されている。コンピュータ３００は、通常、メモリ３０２、補助記憶装置３１２、プロセッサ３１４、入力装置３１６、表示装置３１０、および出力装置３０８を含む。
【００２０】
メモリ３０２は、ランダム・アクセス・メモリ（ＲＡＭ）、もしくは、これに類するタイプのメモリを含むことができる。補助記憶装置３１２は、ハードディスク・ドライブ、フレキシブルディスク・ドライブ、ＣＤ−ＲＯＭドライブ、または他のタイプの不揮発性のデータ記憶装置を含む。補助記憶装置３１２は、様々なデータベースまたは他のリソースに対応する。プロセッサ３１４は、メモリ３０２または補助記憶装置３１２に記憶されたか、あるいは、インターネットまたは他のネットワーク３１８から受け取った、アプリケーションまたは他の情報を実行する。入力装置３１６は、キーボード、キーパッド、カーソル制御装置、タッチスクリーン（多分、スタイラスを用いる）、またはマイクロフォンのように、コンピュータ３００にデータを入力する任意の装置を含む。表示装置３１０は、例えばコンピュータ・モニタ、フラットパネル・ディスプレイ、または表示パネルのように、ビジュアル・イメージを表示する任意のタイプの装置を含む。出力装置３０８は、プリンタなどのハードコピー形式でデータを提示する任意のタイプの出力装置、および、スピーカ、またはオーディオ形式でデータを提供する任意の装置を含む他のタイプの出力装置を含む。コンピュータ３００は、あるいは、複数の入力装置、出力装置、表示装置を含むことができる。
【００２１】
コンピュータ３００が、様々な構成要素とともに描かれているが、このコンピュータは、追加の構成要素あるいは異なる構成要素を含むことができるということが、当業者には理解されよう。さらに、本発明に適合する一実施例の態様は、メモリに記憶されるものとして述べられているが、これらの態様はまた、（ハードディスク、フレキシブルディスク、またはＣＤ−ＲＯＭを含む）補助記憶装置、インターネットまたは他のネットワークからの搬送波、あるいは、他の形式のＲＡＭまたはＲＯＭのような、他のタイプのコンピュータ・プログラム製品またはコンピュータ読取り可能媒体上に記憶されるか、あるいは、それらから読み取ることができることが、当業者には理解されよう。このコンピュータ読取り可能媒体は、特定の方法を実行するための、コンピュータ３００を制御する命令を含むことができる。
【００２２】
オーディオ／ビデオ・シーケンス１２０と高音質のオーディオ・クリップ１１０が、カメラ１００によって収集された後、オーディオ／ビデオ・シーケンス１２０と高音質のオーディオ・クリップ１１０は、無線チャネルを使って、あるいは、ユニバーサル・シリアル・バス（ＵＳＢ）またはＦｉｒｅｗｉｒｅ（ＩＥＥＥ１３９４）のようなワイヤード（有線）接続を通じて送信することによって、コンピュータ３００にダウンロードすることができる。別法として、コンピュータ３００は、コンピュータ３００の読取り装置に直接接続することによって、カメラ１００のローカル記憶装置１５０を読み取ることができる。録画されたオーディオ／ビデオ・シーケンス１２０と高音質のオーディオ・クリップ１１０をダウンロードした後、オーディオ／ビデオ・シーケンス１２０は、カメラ１００の液晶ディスプレイ（ＬＣＤ）（図示されていない）上に、あるいは、コンピュータ３００の表示装置３１０、または他の任意の関連表示装置上に再生することができる。ＬＣＤまたは表示装置３１０は、高音質のオーディオ・クリップ１１０を、例えば、クリップ＃１、クリップ＃２、またはクリップ＃３といったラベルが付けられたアイコンとして表示する。特定の高音質のオーディオ・クリップ１１０、例えばクリップ＃１は、表示装置３１０上に表示される対応するアイコンをクリックすることで、ステレオ・サウンドで再生される。高音質のオーディオ・クリップ１１０は、単独で、あるいは、関連するオーディオ／ビデオ・シーケンス１２０、または録画中に収集された他の任意のマルチメディア・コンテンツとともに、再生することができる。
【００２３】
別法として、高音質のオーディオ・クリップ１１０を用いて、オーディオ／ビデオ・シーケンス１２０にインデックスを付け、その後、このオーディオ／ビデオ・シーケンスを、高音質のオーディオあるいは低音質のオーディオを用いて見ることができる。例えば、ユーザは、録画されたオーディオ／ビデオ・シーケンス１２０を、コンピュータ３００を用いて見ているときに、これらのアイコンの１つ（例えば、クリップ＃２）をダブルクリックして、高音質のオーディオ・クリップ＃２に関連する時点から、オーディオ／ビデオ・シーケンス１２０を見始める。もっとも忘れられない複数の曲を、オーディオ／ビデオ・シーケンス１２０中の複数の時点にリンクすることにより、ユーザは、もっとも忘れられない高音質のオーディオ・クリップ１１０を用いて、容易にオーディオ／ビデオ・シーケンス１２０にインデックスを付けることができる。もっとも忘れられない複数の曲の演奏を、高品質のステレオ・サウンドで楽しむことができるから、このような特徴は、コンサートまたは音楽演奏をビデオ録画するときに、特に価値がある。
【００２４】
オーディオ／ビデオ・シーケンス１２０と高音質のオーディオ・クリップ１１０はまた、ネットワーク３１８に接続されたサーバー上に保存して、他のユーザが検索することもできる。別法として、オーディオ／ビデオ・シーケンス１２０と高音質のオーディオ・クリップ１１０は、例えば電子メールによって、ネットワーク３１８または他の通信チャネルを通じて、他のユーザに送られる。次に、オーディオ／ビデオ・シーケンス１２０と高音質のオーディオ・クリップ１１０を受け取った友達または家族の一員は、ビデオ・インデックスとして高音質のオーディオ・クリップ１１０を用いて、オーディオ／ビデオ・シーケンス１２０を選択的に見る。
【００２５】
図４は、高音質のオーディオ・クリップ１１０を用いたビデオ・インデキシングの模範的な方法を示す流れ図である。ビデオカメラなどのオーディオ／ビデオ収集装置１００を用いれば、ユーザは、オーディオ／ビデオ・シーケンス１２０の録画中に、高音質のオーディオ・クリップ１１０を収集する（ステップ４１０）ことができる。例えば、カメラ１００のオーディオ録音ボタン１４８を用いて、高音質のオーディオ・クリップ１１０を、オーディオ／ビデオ・シーケンス１２０の録画中に収集する（ステップ４２０）ことができる。次に、共同オーディオ／ビデオ処理パイプラインを用いて、オーディオ／ビデオ・シーケンス１２０と、高音質のオーディオ・クリップ１１０を処理する（ステップ４３０）。その処理中に、ＸＭＬインデキシング・ファイルが生成される。
【００２６】
オーディオ／ビデオ・シーケンス１２０と、高音質のオーディオ・クリップ１１０と、このインデキシング情報が入っているＸＭＬインデキシング・ファイルとを、ローカル記憶装置１５０またはリモート記憶装置に送って、記憶する（ステップ４４０とステップ４４５）ことができる。高音質のオーディオ・クリップ１１０を、単独で、あるいは、関連するオーディオ／ビデオ・シーケンス、または録画中に収集された他の任意のマルチメディア・コンテンツとともに、高音質のステレオ・サウンドで再生することができる（ステップ４５０）。
【００２７】
別法として、ＸＭＬファイルを、表示システムで検索して、読み取った（ステップ４５５）後、高音質のオーディオ・クリップ１１０を利用して、オーディオ／ビデオ・シーケンス１２０にインデックスを付ける（ステップ４６０）ことができる。コンピュータを利用して、ビデオ・インデックスとして高音質のオーディオ・クリップ１１０を用いて、オーディオ／ビデオ・シーケンス１２０を選択的に見る（ステップ４７０）。ユーザは、高音質のオーディオ・クリップ１１０の１つに関連するラベル付きアイコンをクリックするか、あるいは、任意の入力装置を用いて、他のタイプのコマンドを入力して、高音質のオーディオ・クリップ１１０に関連する時点から、オーディオ／ビデオ・シーケンス１２０を見始める（ステップ５９０）。
【００２８】
さらに、オーディオ／ビデオ・シーケンス１２０、高音質のオーディオ・クリップ１１０、ＸＭＬファイルを、ネットワーク３１８を通じて、友達や家族などの他のユーザに送って、これらの他のユーザが、ビデオ・インデックスとして高音質のオーディオ・クリップ１１０を用いて、オーディオ／ビデオ・シーケンス１２０を選択的に見ることができるようにする（ステップ４９０）ことができる。
【００２９】
高音質のオーディオ・クリップを用いるビデオ・インデキシングの方法および装置が、模範的な実施形態に関連して述べられてきたが、これらの教示に照らして多くの変更が可能であることと、本願は、本発明のいかなる変形もカバーするつもりであることが当業者には理解されよう。
【図面の簡単な説明】
【００３０】
【図１】オーディオ／ビデオ・シーケンスと、高音質のオーディオ・クリップとを、並行して処理し、送り、かつ／または、記憶することのできる模範的なオーディオ／ビデオ収集装置を示す図である。
【図２】高音質のオーディオ・クリップを用いるビデオ・インデキシングの模範的な方法を示す図である。
【図３】高音質のオーディオ・クリップを用いるビデオ・インデキシングの図２の模範的な方法に関連して用いられ得るコンピュータの模範的なハードウェア構成要素を示す図である。
【図４】高音質のオーディオ・クリップを用いるビデオ・インデキシングの図２の模範的な方法の流れ図である。
【符号の説明】
【００３１】
１００：オーディオ／ビデオ収集装置
１１０：高音質のオーディオ・クリップ
１２０：オーディオ／ビデオ・シーケンス
１４８：ボタン
１５０：ローカル記憶装置
３００：コンピュータ
３１８：ネットワーク
【図１】
2005525608.tif 000003
【図２】
2005525608.tif 000004
【図３】
2005525608.tif 000005
【図４】
2005525608.tif 000006
【国際調査報告】
2005525608.tif 000007
2005525608.tif 000008
2005525608.tif 000009